(57)【要約】【課題】  補充電を行った場合の電圧の不要な上昇をなくして、発光量を安定させることと、電圧の不要な上昇がなくなった分だけ充電電圧の既定値を上げることによる発光量を増加させることのできる照明装置を提供する。【解決手段】  発光に必要な高電圧を発生させるインバータ回路と、インバータ回路の高電圧出力を充電するコンデンサと、コンデンサの充電電流を計測する計測手段と、インバータ回路に電力を供給する電源手段と、計測手段の計測結果に応じて電源手段から出力される電力を変化させる制御手段とを有する。【選択図】  図１
2005135724.tif 000002
【特許請求の範囲】
【請求項１】
発光に必要な高電圧を発生させるインバータ回路と、
前記インバータ回路の高電圧出力を充電するコンデンサと、
前記コンデンサの充電電流を計測する計測手段と、
前記インバータ回路に電力を供給する電源手段と、
前記計測手段の計測結果に応じて前記電源手段から出力される電力を変化させる制御手段とを有することを特徴とする照明装置。
【請求項２】
計測モードと急速充電モードの少なくとも２つの供給電力モードに設定可能な照明装置であって、
前記制御手段は、前記計測モードにおいて、前記電源手段から前記コンデンサの目標充電電圧と前記インバータ回路の高電圧出力が等しくなるような供給電力を出力させることを特徴とする請求項１に記載の照明装置。
【請求項３】
請求項１又は２に記載の照明装置を有することを特徴とするカメラ。
【発明の詳細な説明】
【技術分野】
【０００１】
本発明は、静止画撮影が可能な機器で使用される照明装置に関するものである
【背景技術】
【０００２】
従来この種の装置は図６のような構成であった（特許文献１参照）。図６において、１はインバータ、3-aと3-bはダイオード、４は平滑コンデンサ、５は発光用コンデンサ、７はマイコン、10は電源、11はスイッチ、8-aと8-bは抵抗である。従来例では、フラッシュを発光させるために必要な電力を発光用コンデンサ５に充電する場合、マイコン７はスイッチ11をONにすることにより、電源10の電力をインバータ１に供給する。
【０００３】
インバータ１の出力は高電圧の交流出力であるため、ダイオード3-aによってこれを整流して、平滑コンデンサ４で直流化している。平滑コンデンサ４の電圧は、ダイオード3-bを経由して発光用コンデンサ５に充電される。ここで、平滑コンデンサ４の電圧は抵抗8-a、8-bで分圧されてマイコン７にフィードバックされ、既定電圧に達した場合、マイコン７はスイッチ11をOFFにする。ダイオード3-bは発光用コンデンサ５に充電された電力が抵抗8-a、8-bに逆流して不要な放電をしてしまうことを防止するために挿入されている。
【０００４】
また、従来例において、発光用コンデンサ５の自然放電による電圧低下を補う場合は、発光用コンデンサ５の充電電圧を確認するためにマイコン７は一旦スイッチ11をONにして充電を行う。充電が行われている状態ではマイコン７は抵抗8-a、8-bによる充電電圧の検出が可能となるため、発光用コンデンサ５が既定電圧になっているかどうかが判断できる。このとき、発光用コンデンサ５の電圧が既定値に達している場合は、マイコン７はスイッチ11をOFFにして充電を終了させる。また、発光用コンデンサ５の電圧が既定値に満たない場合は、そのまま充電を継続させる。図７はこの状況を示したフローチャートである。
【特許文献１】特開平１０−３２３０３７号公報
【発明の開示】
【発明が解決しようとする課題】
【０００５】
しかしながら従来例では発光用コンデンサ５の自然放電を補った補充電を行う際に、発光用コンデンサ５の充電電圧計測のためにも充電行為を行わなくてはならないため、発光用コンデンサ５の自然放電が少なかった場合は発光用コンデンサ５の電圧確認の行為によって発光用コンデンサ５の充電電圧が既定値よりも上昇してしまった。図８はこの様子を示したものである。また、フラッシュの発光量は発光用コンデンサ５の充電電圧に比例するため、同一のデバイスでできるだけ光量を得ようとした場合、発光用コンデンサ５の充電電圧を耐電圧ぎりぎりまで上げる必要があるが、従来例では前述の充電電圧の上昇があるために、充電の既定値は耐電圧よりも低めに設定することが必要となり光量の低下を招いていた。
【０００６】
本出願にかかる発明の目的は、補充電を行った場合の電圧の不要な上昇をなくして、発光量を安定させることと、電圧の不要な上昇がなくなった分だけ充電電圧の既定値を上げることによる発光量の増加である。
【課題を解決するための手段】
【０００７】
本件は前述の従来例での課題を解消するために提案されている。本提案の請求項１においては、発光に必要な高電圧を発生させるインバータ回路と、インバータ回路の高電圧出力を充電するコンデンサと、コンデンサの充電電流を計測する計測手段と、インバータ回路に電力を供給する電源手段と、計測手段の計測結果に応じて電源手段から出力される電力を変化させる制御手段とを有することを特徴とする。
【０００８】
また本提案の請求項２においては、計測モードと急速充電モードの少なくとも２つの供給電力モードに設定可能な照明装置であって、制御手段は、計測モードにおいて、電源手段からコンデンサの目標充電電圧とインバータ回路の高電圧出力が等しくなるような供給電力を出力させることを特徴とする。
【０００９】
また、上記の照明装置は、カメラに設けることができる。
【発明の効果】
【００１０】
本発明においては、発光用コンデンサの充電電圧を検出する際に、インバータの入力電圧を下げることによってインバータの出力電圧が発光用コンデンサの既定電圧と等しくなるようにして、発光用コンデンサの充電電流を検出することによって発光用コンデンサの充電電圧を推定している。
【００１１】
このために、既定電圧状態では充電電流が０となるため充電電圧の不要な上昇は発生しない。図５は、本提案における電圧確認モードでの発光用コンデンサの電圧状態を示したものであるが、図８と比較して電圧の上昇が発生していない。また、本提案では充電電圧が安定しているため、既定電圧を低めに設定する必要がなくなりフラッシュの発光量を従来よりも増加させることが可能になった。
【発明を実施するための最良の形態】
【００１２】
以下、本発明の実施例について説明する。
【実施例１】
【００１３】
この状態を図１で説明する。図１において、平滑コンデンサ４と発光用コンデンサ５の間には計測回路６を挿入してあり、計測回路６は発光用コンデンサ５に流れる充電電流を計測してその計測結果をマイコン７に伝えている。また、インバータ１の電力源は可変電源２となっていて、可変電源２の制御はマイコン７が行っている。したがって、インバータ１の出力高電圧はマイコン７が可変することが可能である。インバータ１の出力は、ダイオード３と平滑コンデンサ４で整流・直流化されている。マイコン７は、発光用コンデンサ５に対して初期充電もしくは補充電を行う際に、可変電源２の電圧を下げてインバータ１の出力を整流した結果がちょうど発光用コンデンサ５の充電の既定値になるようにする。
【００１４】
この状態で計測回路６の計測結果を確認して、計測回路６の出力が０であれば充電完了として可変電源２の出力を０にして充電を停止させる。また、計測回路６の出力が０でなかった場合は充電を継続する。本提案の請求項２によれば、計測回路６の出力が０でないときに、計測回路６の値に応じて可変電源２の値を増加させ急速充電モードとする。この急速充電モードの充電時間は、あらかじめ定められた値により決定され、急速充電モードの時間が過ぎた場合には、再びマイコン７は可変電源２の値を下げて、インバータ１の出力を整流した結果がちょうど発光用コンデンサ５の充電の既定値になるようにする。
【００１５】
この状態が計測モードで、マイコン７は計測回路６の値が大きい場合は再び急速充電モードを実行して、計測回路６の値が０に近い場合はそのまま計測モードで計測回路６の値が０になるまで微弱充電を行い、計測回路６の値が０になった時点で充電を終了させる。
【００１６】
図２は本発明の実施例１である。図において、抵抗８は発光用コンデンサ５の充電電流を検出するためのものであり、作動増幅器９は抵抗８の両端電圧をマイコン７が読み易い形の電圧に変換するためのものである。動作について図３のフローをもとに説明する。マイコン７は、発光用コンデンサ５に対して初期充電もしくは補充電を行う際に、まず計測モードによって発光用コンデンサ５の充電電圧を確認する。
【００１７】
動作としては、可変電源２の電圧を下げてインバータ１の出力を整流した結果がちょうど発光用コンデンサ５の充電の既定値になるようにする。この状態で計測回路６の計測結果を確認して、計測回路６の出力が０であれば充電完了として可変電源２の出力を０にして充電を停止させる。また、計測回路６の出力が０でなかった場合は充電を継続するが、計測回路６の値に応じて可変電源２の値を可変させる。計測回路６の出力が小さいときは、そのまま計測モードで充電を続ける。計測モードでは、発光用コンデンサ５の電圧が既定値になると充電電流が０になり充電が終了する。
【００１８】
また、計測回路６の出力が大きいときは、可変電源２の電圧を大きくして急速充電モードとする。この急速充電モードの充電時間は、あらかじめ定められた値により決定され、急速充電モードの時間が過ぎた場合には、再びマイコン７は可変電源２の値を下げて計測モードとなる。
【００１９】
図４は発光回路の例である。図４において12はトリガ回路、13は発光制御回路、14はトリガ電極、15はキセノンランプ、16は発光制御素子である。発光用コンデンサ５の電圧はキセノンランプ15に常に印可されているか、発光制御信号と共に印可される。トリガ回路１２はトリガ電極１４にキセノンランプ15の放電を誘起するための高電圧を発生させるためのもので、トリガ電極14に高電圧が印可された瞬間にキセノンランプ15の両端に電圧がかかっていた場合には放電（発光）を開始する。発光制御素子16は一度放電が開始されたキセノンランプ15の電流を遮断するためのもので、必要な光量が得られた場合に発光制御素子16が解放状態となることでキセノンランプ15の放電が停止する。
【図面の簡単な説明】
【００２０】
【図１】本提案の構成
【図２】本提案の実施例１
【図３】本提案のフロー
【図４】発光回路例
【図５】本提案の充電電圧
【図６】従来例
【図７】従来例の充電動作フロー
【図８】従来例の充電電圧
【符号の説明】
【００２１】
１・・・インバータ
２・・・可変電源
３・・・ダイオード
４・・・平滑コンデンサ
５・・・発光用コンデンサ
６・・・計測回路
７・・・マイコン
８・・・抵抗
９・・・作動増幅器
１０・・電源
１１・・スイッチ
１２・・トリガ回路
１３・・発光制御回路
１４・・トリガ電極
１５・・キセノンランプ
１６・・発光制御素子
【図１】
2005135724.tif 000003
【図２】
2005135724.tif 000004
【図３】
2005135724.tif 000005
【図４】
2005135724.tif 000006
【図５】
2005135724.tif 000007
【図６】
2005135724.tif 000008
【図７】
2005135724.tif 000009
【図８】
2005135724.tif 000010